(57)【要約】【課題】３枚以上の引き戸を収納するサッシを、バリアフリーに対応させる構造。【解決手段】下枠１ｂに障子案内レール２、３、４と、２本のサッシ網戸レール５ａ、５ｂとを一体に形成し、サッシ網戸レール上に網戸レール２２、２３を備えた網戸アタッチメント１５を載置し、網戸レール２２、２３を網戸アタッチメント１５の平坦な上面１８の上部に形成し、これらの網戸レールの屋外側には立上り部２０を形成し、網戸レール２２、２３と立上り部２０の上端の高さを障子レールの上端の高さと略水平に揃え、網戸アタッチメント１５の端部と縦枠１ｃとの間には端部キャップ２７を取り付け、端部キャップ２７には網戸アタッチメント１５の上面と面一のフラット面２８を形成し、フラット面２８の屋外側には立上り部２０と連続する起立部３２を縦枠１ｃより屋外側の張り出し位置に設けるとともに、フラット面２８の一部を縦枠１ｃと起立部３２との間に臨ませた。【選択図】図８
2010001635.tif 000002
【特許請求の範囲】
【請求項１】
窓枠を構成する下枠に、障子案内レールと、屋内外側の２枚の網戸を摺動自在に案内する平行な２本のサッシ網戸レールとを一体に形成したサッシにおいて、上記２本のサッシ網戸レール上に２本の網戸レールを備えた網戸アタッチメントを載置し、上記２本の網戸レールを網戸アタッチメントの平坦な上面の上部に形成するとともに、これらの２本の網戸レールの屋外側には立上り部を形成し、網戸アタッチメントの２本の網戸レールと立上り部の上端の高さを上記障子レールの上端の高さと略水平に揃え、上記網戸アタッチメントの端部と上記窓枠の縦枠との間に形成された隙間には端部キャップを取り付け、端部キャップには網戸アタッチメントの上面と面一のフラット面を形成し、フラット面の屋外側には上記立上り部と連続する起立部を形成し、この起立部を上記縦枠より屋外側の張り出し位置に設けるとともに、上記フラット面の一部を縦枠と起立部との間に臨ませたことを特徴とするサッシ。
【請求項２】
上記端部キャップの側面には上記縦枠の長手方向に形成された突条に嵌合可能な嵌合溝が形成されたことを特徴とする、請求項1に記載のサッシ。
【請求項３】
上記端部キャップの側面には、上記網戸アタッチメントに対して弾性的に係止可能な係止片が形成されていることを特徴とする、請求項１又は２に記載のサッシ。
【発明の詳細な説明】
【技術分野】
【０００１】
本発明は、特に窓枠の開口部を大きく、２枚の網戸を摺動自在に収納するように構成されたサッシに関する。
【背景技術】
【０００２】
一般に、引き戸サッシは窓枠内に２枚の引き戸障子を摺動自在に収納したものが主流であるが、開口部を大きくとるために３枚の引き戸を収納したものも知られている。このように、開口部が大きい窓枠構成では、１枚の網戸では足りない。そこで、窓枠の下枠に２本の平行な網戸レールを設け、屋内側のレールと屋外側のレールにそれぞれ網戸が組み込まれている。３枚の障子を一側にまとめたとき、障子２枚の大きさの開口部が得られるが、この開口部には２枚の網戸で対応することができる。
【０００３】
ところで、下枠に２本の網戸レールを設けると、屋内外側の網戸レール間には溝ができる。また、網戸は窓枠の屋外側に設けられるものであるから、雨水が直接に又は網戸を伝ってレール間の溝に入り込みやすい。したがって、通常は網戸レールは障子案内レールよりも低く形成し（特許文献１参照）、またレール間の溝底には水抜きの穴が形成されている。
【０００４】
このように、障子案内レールと網戸レールとの間に段差があると、バリアフリー対応が不徹底になる。一般的には、２枚引き戸障子用のサッシが主であり、網戸レールも１本であったから、網戸レールが一段と低くなっていても実際上はあまり問題にされていなかった。
【特許文献１】特開平９−２２８７４１号公報
【発明の開示】
【発明が解決しようとする課題】
【０００５】
しかしながら、網戸レールが２本配設される下枠構造では、網戸レール分の幅だけ段落ちするので、車椅子で通過する際にキャスターが網戸レール部分に落ち込んでしまう可能性があり、バリアフリーには対応できない。
【０００６】
本発明は上記問題点を解消し、３枚以上の引き戸を収納するサッシであっても、アタッチメントにより網戸レール部分をバリアフリーに対応できる構造にすることができるとともに、アタッチメント上の雨水も体裁よく外部に排出させることができるサッシを提供することをその課題とする。
【課題を解決するための手段】
【０００７】
前記課題を解決するため、請求項１に係る発明は、窓枠を構成する下枠に、障子案内レールと、屋内外側の２枚の網戸を摺動自在に案内する平行な２本のサッシ網戸レールとを一体に形成したサッシにおいて、上記２本のサッシ網戸レール上に２本の網戸レールを備えた網戸アタッチメントを載置し、上記２本の網戸レールを網戸アタッチメントの平坦な上面の上部に形成するとともに、これらの２本の網戸レールの屋外側には立上り部を形成し、網戸アタッチメントの２本の網戸レールと立上り部の上端の高さを上記障子レールの上端の高さと略水平に揃え、上記網戸アタッチメントの端部と上記窓枠の縦枠との間に形成された隙間には端部キャップを取り付け、端部キャップには網戸アタッチメントの上面と面一のフラット面を形成し、フラット面の屋外側には上記立上り部と連続する起立部を形成し、この起立部を上記縦枠より屋外側の張り出し位置に設けるとともに、上記フラット面の一部を縦枠と起立部との間に臨ませたことを特徴とする。
【０００８】
請求項２に係る発明は、請求項１において、上記端部キャップの側面には上記縦枠の長手方向に形成された突条に嵌合可能な嵌合溝が形成されたことを特徴とする。
【０００９】
請求項３に係る発明は、請求項１又は２において、上記端部キャップの側面には、上記網戸アタッチメントに対して弾性的に係止可能な係止片が形成されていることを特徴とする。
【発明の効果】
【００１０】
請求項１に係る発明によれば、網戸アタッチメントの２本の網戸レールと立上り部の上端の高さは障子レールの上端の高さと略水平に揃えられている。したがって、サッシに一体に形成されたサッシ網戸レールが障子レールと段違いになっていても、バリアフリーに対応する構造にすることができる。
【００１１】
また、網戸アタッチメントの２本の網戸レールの内側には溝が形成されるので、雨水が溜まる。溜まった雨水は溝に沿って流れ、その端部から網戸アタッチメントの上面と面一な端部キャップのフラット面に移動し、さらにフラット面に沿って屋内側に流れたものは縦枠と起立部との間から、端部キャップの横の外側端面を伝って下方に流れ落ちて排出される。このように、雨水はサッシの屋外側に面する部分からぽたぽたと垂れ落ちるのではなく、サッシの横から外側面を伝って流れ落ちるようになっているので、見た目の体裁もよい。
【００１２】
以上のように、上記サッシの下枠構造によれば、障子案内レールと段違い構成の２本の網戸レールを備え、広い開口部を有する窓枠であっても、網戸アタッチメントにより網戸レール部分に十分なバリアフリー機能を有するサッシに変更することができるとともに、端部キャップによって良好な雨仕舞いを確保することができる。
【００１３】
請求項２に係る発明によれば、端部キャップの側面には上記縦枠の長手方向に形成された突条に嵌合可能な嵌合溝が形成されているので、端部キャップは屋内外方向に動くことが無く、安定的にとりつけられる。
【００１４】
請求項３に係る発明によれば、端部キャップの側面には、上記網戸アタッチメントに対して弾性的に係止可能な係止片が形成されているから、ネジ等で固定する必要がなく、端部キャップを簡単に取り付けることができる。
【発明を実施するための最良の形態】
【００１５】
以下に、本発明の最良の実施形態を図面によって説明する。
【００１６】
図１は３枚引き戸サッシの正面図であり、図２は図１のＸ−Ｘ線上の一部の拡大断面図である。
【００１７】
同図において符号１は窓枠を示す。窓枠１はアルミニウムの押出型材からなる上枠１ａと下枠１ｂと左右の縦枠１ｃ、１ｃとを方形に枠組みしてなるものであり、下枠１ｂには屋内側から屋外側に障子案内用の内レール２と中間レール３と外レール４とが互いに平行に設けられている。各レール２、３、４の上端の高さは略水平に揃えられている。
【００１８】
ところで、下枠１ｂの外レールの屋外側には、屋内側の網戸と屋外側の網戸とを摺動自在に案内するように設計された２本のサッシ網戸レール５ａ、５ｂが形成されている。また、網戸レールは障子案内レール２、３、４に対して低くなっている。上記各サッシ網戸レール５ａ、５ｂには、後述のように網戸アタッチメント１５を取り付けることにより、網戸１１、１２が摺動できるようになっている。このように、障子案内レール２、３、４とサッシ網戸レール５ａ、５ｂとは段違いとなっており、既設の窓枠と同じ構成である。既設のものと全く同じではなくても、既設のものと同じ設計思想の下に構成された窓枠である。
【００１９】
また、下枠１ｂの内レール２と中間レール３と外レール４には、それぞれ内障子７と中間障子８と外障子９とが摺動自在に案内されている。下枠１ｂの内レール２と中間レール３と外レール４は内障子７と中間障子８と外障子９の各戸車１０を転動自在に支持している。これにより、内障子７と中間障子８と外障子９は対応するレールに沿って一端から他端まで開閉摺動できるようになっている。また、上記各サッシ網戸レール５ａ、５ｂには網戸１１、１２が摺動自在に案内されている。
【００２０】
また、図３に示されるように、下枠１ｂの屋内側と屋外側に設けられた２本の網戸レール５ａ、５ｂは縦枠１ｃの屋外側に設けられた２本の突条１４に突合せられる位置に形成されている。また、縦枠１ｃと下枠１ｂの屋外側の面は略面一になっている。
【００２１】
次に、上記２本のサッシ網戸レール５ａ、５ｂ上には、レール端部を除いて網戸アタッチメント１５が載置されている。網戸アタッチメント１５は下枠１ｂのサッシ網戸レール５ａ、５ｂよりも少し短く形成されたアルミニウムの押出型材製の部材で、図４および図５に示されるように、主に屋内側の側壁部１６と屋外側の側壁部１７の上部を上面部１８で連結して下向きに開口するコの字形とし、側壁部１７の下部から屋外側に突出した下底部１９の端部から立上り部２０を起立形成し、下底部１９の屋内側から取付縁２１を垂下した構成となっている。そして、上面部１８の上面は平坦に形成され、この上面１８の上部には、上記サッシ網戸レール５ａ、５ｂに対応する上方位置にそれぞれ屋内側の網戸レール２２と屋外側の網戸レール２３とが突出形成されている。また、網戸アタッチメント１５の２つの側壁部１６、１７の内側にはそれぞれ屋内側の網戸レール２２と屋外側の網戸レール２３とにそれぞれ係合可能な係合片２４、２５が屋内側と屋外側に形成されている。
【００２２】
なお、網戸アタッチメント１５の網戸レール２２、２３の上端の高さは、サッシの障子レール２、３、４の上端と略水平に揃えられている。また、立上り部２０の上端高さも、サッシの障子レール２、３、４及び網戸レール２２、２３の上端の高さと略水平になるように揃えられている。
【００２３】
上記網戸アタッチメント１５を取り付けるには、下枠１ｂのサッシ網戸レール５ａ、５ｂの上から落とし込んでその係合片２４、２５をサッシ網戸レール５ａ、５ｂの上端に係合させて載置し、取付縁２１を下枠１ｂの屋外端の垂下縁２６に重合させてビス止めすればよい。
【００２４】
次に、図６〜図８に示されるように、網戸アタッチメント１５の端部と縦枠１ｃとの間には端部キャップ２７が取り付けられている。端部キャップ２７は合成樹脂製の部材で、網戸アタッチメント１５の断面形状に即したブロック状に形成され、上面２８はフラットで、下方には網戸アタッチメント１５の取付縁の端面に当接する当接部３０が突出形成されている。そして、端部キャップ２７の下部には、下枠１ｂの屋内外側のサッシ網戸レール５ａ、５ｂの内側に嵌まりこむ嵌合部３１が形成され、屋外側の端部にはフラット面２８から起立する起立部３２が形成され、起立部３２の内側には網戸アタッチメント１５の立上り部２０の上部と屋外側側面に係合可能な係合縁３３が突出形成されている。さらに、端部キャップ２７の外側には縦枠１ｃの突条１４に嵌合可能な嵌合溝３４が形成され、その反対側の内側端面にはスナップフィット機能を有する係止片３５が形成されている。
【００２５】
端部キャップ２７を取り付けるときは、図７及び図８に示されるように、端部キャップ２７の嵌合溝３４を縦枠１ｃの突条１４に嵌合させた状態で下方にスライドさせて縦枠１ｃと網戸アタッチメント１５との間のスペースに落とし込み、嵌合部３１を下枠１ｂのサッシ網戸レール５ａ、５ｂ間に嵌合させ、当接部３０を網戸アタッチメント１５の取付縁２１の端面に当接させ、さらに係合縁３３を網戸アタッチメント１５の起立部２０に係合させればよい。端部キャップ２７を下方に押し込んだとき、最後に内側端面に形成された係止片３５が網戸アタッチメント１５の上面部２８の下側に弾性的に係止され、ネジ等の固定手段によらなくても簡単に全体が固定される。
【００２６】
端部キャップ２７が取り付けられたとき、端部キャップ２７の上部フラット面２８と網戸アタッチメント１５の上面とは面一になる。また、係合縁３３は網戸アタッチメント１５の立上り部２０の端部に当接して立上り部２０と連続的に配置される。しかも、端部キャップ２７の嵌合溝３４と縦枠の突条１４とが嵌合するので、端部キャップ２７は屋内外方向に動くことが無く、安定的にとりつけられる。
【００２７】
以上のように取り付けられたとき、図９に示されるように、端部キャップ２７の上部フラット面２８は網戸アタッチメント１５の上面部１８の上面と面一な略水平面を構成し、また上部フラット面２８の屋外側には起立部３２が障壁となって形成されているが、上部フラット面２８の外方側の端部はそのまま切り落とされた垂下面となっている。
【００２８】
なお、端部キャップ２７に網戸レールはないが、網戸の摺動に支障はない。
【００２９】
上記構成によれば、図８に示されるように、網戸アタッチメント１５の２本の網戸レール２２、２３と立上り部２０の上端の高さは障子レール２、３、４の上端の高さと略水平に揃えられている。したがって、サッシに一体に形成されたサッシ網戸レール５ａ、５ｂが障子レール２、３、４と段違いになっていても、バリアフリーに対応する構造にすることができる。
【００３０】
また、網戸アタッチメント１５の２本の網戸レール２２、２３の内側には溝が形成されるので、そこに塵埃や雨水が溜まる。図９に示されるように、溜まった雨水は溝に沿って流れ、その端部から溝底と面一の端部キャップ２７のフラット面２８に移動し、さらにフラット面２８に沿って屋内側に流れたものは下枠１ｂに落ち、下枠１ｂの水抜き孔（図示せず）から排出される。これに対し、屋外側に流れたものは起立部３２が障害となって内側又は外側に流れる。内側に流れたものは立上り部２０の内側に落ち、図示しない水抜き孔から流れ落ちる。また、外側に流れたものは、立上り部２０が縦枠１ｃよりも屋外側に張り出しているので、矢印のように、縦枠１ｃと起立部３２との間から端部キャップ２７の横の外側端面を伝って下方に流れ落ちて排出される。塵埃も同様にして、端部キャップ２７の外側に掃き出すことができる。
【００３１】
このように、雨水はサッシの屋外側に面する部分からぽたぽたと垂れ落ちるのではなく、サッシの横から外側面を伝って流れ落ちるようになっているので、見た目の体裁もよい。
【００３２】
上記サッシの下枠構造によれば、障子案内レール２、３、４と段違い構成の２本の網戸レール５ａ、５ｂを備え、広い開口部を有する窓枠であっても、網戸アタッチメント１５により網戸レール部分に十分なバリアフリー機能を有するサッシに変更することができるとともに、端部キャップ２７によって雨水等を体裁よく外部に排出させることができる。
【００３３】
なお、上記下枠１ｂ構造は既設サッシに後付け施工することができるほか、従来の３枚組みの引き戸サッシを設計変更せずにバリアフリー仕様にすることができる。
【００３４】
また、下枠１ｂの外レール４と中間レール３及び中間レール３と内レール２との間にはレール間アタッチメント３６が取り付けられている。すなわち、図２、図５及び図８に示されるように、外レール４と中間レール３と内レール２の側面には突部３７が突出形成され、これに対し、レール間アタッチメント３６はレール間寸法と略同じ幅で、図５に示されるように、両側の縦枠１ｃ、１ｃ間の寸法と略同じかそれよりもやや短い寸法の段付き板３８の中央から長手方向に沿ってレール部４０を突出形成したもので、段付き板３８の屋外側には係止溝４１が形成され、屋内側の下部には突片４２が形成されている。レール間アタッチメント３６は、段付き板３８の屋外側の係止溝４１を外レール４又は中間レール３の屋内側の突部３７に嵌め込んだ後、段付き板３８の屋内側の端部を中間レール３と内レール２の屋外側の突部３７上に載置することによって取り付ければよい。取付状態でレール部４０の高さは他のレール２、３、４と略水平レベルで同じ高さになるように設定されている。
【００３５】
上記構成によれば、外レール４と中間レール３の間及び中間レール３と内レール２の間にレール部４０が配置され、外レール４と中間レール３と内レール２の間の隙間が狭くなるので、車椅子で移動するときに、円滑に移動することができるとともに、そのキャスターがレール間に落ち込むようなことがなく、バリアフリーに対応することができる。
【図面の簡単な説明】
【００３６】
【図１】３枚引き戸サッシの正面図
【図２】図１のＸ−Ｘ線上の一部の断面図
【図３】縦枠と下枠との結合部の拡大斜視図
【図４】網戸アタッチメントの取付態様を示す斜視図
【図５】網戸アタッチメントの取付態様説明図
【図６】端部キャップの取付状態を示す斜視図
【図７】端部キャップの取付態様を示す斜視図
【図８】端部キャップの取付態様説明図
【図９】端部キャップからの雨水の排水状態を示す斜視図
【符号の説明】
【００３７】
２、３、４  障子案内レール
５ａ、５ｂ  サッシ網戸レール
１５    網戸アタッチメント
１８    上面
２０    立上り部
２２、２３  網戸レール
２７    端部キャップ
２８    フラット面
３２    起立部
【図１】
2010001635.tif 000003
【図２】
2010001635.tif 000004
【図３】
2010001635.tif 000005
【図４】
2010001635.tif 000006
【図５】
2010001635.tif 000007
【図６】
2010001635.tif 000008
【図７】
2010001635.tif 000009
【図８】
2010001635.tif 000010
【図９】
2010001635.tif 000011